(57)【特許請求の範囲】
【請求項１】
反応槽内に、連続して硫酸ニッケルアンミン錯体を含有する溶液と不溶性固体と分散剤を供給、攪拌して形成したニッケル錯イオンを含む溶液に、水素ガスを吹き込み、前記ニッケル錯イオンを含む溶液中のニッケル錯イオンを還元処理して前記不溶性固体の表面にニッケル粒子の析出物を備えた複合体を形成し、前記複合体を含む還元スラリーを得た後、前記反応槽から前記還元スラリーを抜出する際に、
前記反応槽の液量が一定となるように、
前記硫酸ニッケルアンミン錯体を含有する溶液と不溶性固体と分散剤の供給量と、
前記還元スラリーの排出量を調整して
前記反応槽内から前記還元スラリーを抜出することを特徴とするニッケル粉の製造方法。
【請求項２】
前記分散剤の添加量を制御して前記還元処理におけるニッケル析出物の生成により得られるニッケル粉の個数を制御することを特徴とする請求項１に記載のニッケル粉の製造方法。
【請求項３】
前記分散剤がポリアクリル酸塩で、前記添加量が前記反応槽内の不溶性固体の重量の１．０重量％を越えて、１０．０重量％以下の量であることを特徴とする請求項１又は２に記載のニッケル粉の製造方法。
【請求項４】
前記分散剤がリグニンスルホン酸で、前記添加量が前記反応槽内の不溶性固体の重量の２．０重量％を越えて、２０．０重量％以下の量であることを特徴とする請求項１又は２に記載のニッケル粉の製造方法。
【発明の詳細な説明】
【技術分野】
【０００１】
本発明は、硫酸ニッケルアンミン錯体を含有する溶液から、種結晶として利用できる微小ニッケル粉末を製造する方法に関するもので、特に発生個数を必要量に制御しようとする処理に適用できる。
【背景技術】
【０００２】
微小なニッケル粉を製造する方法として、溶融させたニッケルをガスまたは水中に分散させ微細粉を得るアトマイズ法や、特許文献１に開示されるニッケルを揮発させ、気相中で還元することでニッケル粉を得るＣＶＤ法などの乾式法が知られている。
また、湿式プロセスによりニッケル粉を製造する方法として、特許文献２に開示される還元剤を用いて生成する方法や、特許文献３に開示される高温で還元雰囲気中にニッケル溶液を噴霧することにより、熱分解反応によりニッケル粉を得る噴霧熱分解法などが知られている。しかし、これらの方法は高価な試薬類や多量のエネルギーを必要とするため、経済的とは言えない。
【０００３】
一方、非特許文献１に示されるような、硫酸ニッケルアンミン錯体溶液に水素ガスを供給して錯体溶液中のニッケルイオンを還元してニッケル粉を得る方法は、工業的に安価であり有用である。けれども、この方法においては得られるニッケル粉粒子は粗大化しやすく、種結晶に使えるような微細な粉末を製造することは困難であった。
【０００４】
そこで、水溶液中から粒子を発生させ成長させようとする場合、種結晶と呼ばれる微細な結晶を少量共存させ、そこに還元剤を供給し、種結晶を成長させて所定の粒径の粉末を得る方法が用いられる。
この方法で用いる種結晶は、製品を粉砕するなどして得ることが多いが、手間も要し、また収率が減少するのでコスト増加につながる。また、粉砕によって必ずしも最適な粒径や性状の種結晶が得られるとは限らない。
【０００５】
さらに、ニッケル粉の製造に係る操業を安定して進めるには、常に適切な量の種結晶が供給されることが必要だが、過剰に準備しておくことは仕掛品の増加や管理の手間が増加するなど、それだけ生産効率の低下になる。
このように実操業に必要な量の種結晶を安定して得る方法が求められていた。
【先行技術文献】
【特許文献】
【０００６】
【特許文献１】特開２００５−５０５６９５号公報
【特許文献２】特開２０１０−２４２１４３号公報
【特許文献３】特許４２８６２２０号公報
【非特許文献】
【０００７】
【非特許文献１】“Ｔｈｅ  Ｍａｎｕｆａｃｔｕｒｅ  ａｎｄ  ｐｒｏｐｅｒｔｉｅｓ  ｏｆ  ｍｅｔａｌ  ｐｏｗｄｅｒ  ｐｒｏｄｕｃｅｄ  ｂｙ  ｔｈｅ  ｇａｓｅｏｕｓ  ｒｅｄｕｃｔｉｏｎ  ｏｆ  ａｑｕｅｏｕｓ  ｓｏｌｕｔｉｏｎｓ”，Ｐｏｗｄｅｒ  ｍｅｔａｌｌｕｒｇｙ，Ｎｏ．１／２（１９５８），４０−５２．
【発明の概要】
【発明が解決しようとする課題】
【０００８】
このような状況の中で、本発明は、硫酸ニッケルアンミン錯体を含有する溶液からニッケル粉の製造に必要な種結晶となる微小なニッケル粉を、そのニッケル粉の製造に必要な量に応じて製造するニッケル粉の製造方法を提供するものである。
【課題を解決するための手段】
【０００９】
このような課題を解決する本発明の第１の発明は、反応槽内に、連続して硫酸ニッケルアンミン錯体を含有する溶液と不溶性固体と分散剤を供給、攪拌して形成したニッケル錯イオンを含む溶液に、水素ガスを吹き込み、ニッケル錯イオンを含む溶液中のニッケル錯イオンを還元処理して不溶性固体の表面にニッケル粒子の析出物を備えた複合体を形成し、その複合体を含む還元スラリーを得た後、反応槽から還元スラリーを抜出する際に、反応槽の液量が一定となるように、硫酸ニッケルアンミン錯体を含有する溶液と不溶性固体と分散剤の供給量と、還元スラリーの排出量を調整して前記反応槽内から還元スラリーを抜出することを特徴とするニッケル粉の製造方法である。
【００１０】
本発明の第２の発明は、第１の発明における分散剤の添加量を制御して前記還元処理におけるニッケル析出物の生成により得られるニッケル粉の個数を制御することを特徴とするニッケル粉の製造方法である。
【００１１】
本発明の第３の発明は、第１及び第２の発明における分散剤がポリアクリル酸塩で、前記添加量が前記反応槽内の不溶性固体の重量の１．０重量％を越えて、１０．０重量％以下の量であることを特徴とするニッケル粉の製造方法である。
【００１２】
本発明の第４の発明は、第１及び第２の発明における分散剤がリグニンスルホン酸で、前記添加量が前記反応槽内の不溶性固体の重量の２．０重量％を越えて、２０．０重量％以下の量であることを特徴とするニッケル粉の製造方法である。
【発明の効果】
【００１３】
本発明によれば、硫酸ニッケルアンミン錯体溶液から、水素ガスを用いた還元析出法により、経済的で効率よくニッケル粉の製造に使用する種結晶に最適な微小なニッケル粉を、必要な量に応じて製造する方法の提供を可能とするもので、工業上顕著な効果を奏するものである。
【図面の簡単な説明】
【００１４】
【図１】本発明に係る分散剤及び不溶性固体を添加したニッケル粉の製造方法における製造フロー図である。
【図２】参考例１〜４におけるポリアクリル酸ナトリウムを用いた場合の反応終了後の溶液中のニッケル濃度の変化を示した図である。
【図３】参考比較例２（分散剤無添加）に係る水素還元時の分散剤濃度による混合スラリー中のニッケル濃度の反応時間による変化を示す図である。
【図４】参考例５に係るニッケル粉の個数とポリアクリル酸ナトリウムの添加量との関係を示す図である。
【図５】参考例６に係るニッケル粉の個数とリグニンスルホン酸ナトリウムの添加量との関係を示す図である。
【図６】実施例７に係る種晶の不溶性固体（ニッケル粉）と産出されたニッケル粉の粒度分布を比較する図である。
【発明を実施するための形態】
【００１５】
本発明は、硫酸ニッケルアンミン錯体溶液に分散剤と種晶の不溶性固体を加え、水素ガスを吹き込むことによりニッケル粉を製造する方法において、分散剤の添加量の制御により、目的とする量の微小ニッケル粉を製造することを特徴とするニッケル粉の製造方法である。
以下、本発明のニッケル粉の製造方法を図１に示す製造フロー図を参照して説明する。
【００１６】
［硫酸ニッケルアンミン錯体溶液］
本発明に用いる硫酸ニッケルアンミン錯体溶液は、特に限定はされないが、ニッケルおよびコバルト混合硫化物、粗硫酸ニッケル、酸化ニッケル、水酸化ニッケル、炭酸ニッケル、ニッケル粉などから選ばれる一種、または複数の混合物から成る工業中間物などのニッケル含有物を、その成分に合わせて硫酸あるいはアンモニアにより溶解して得られるニッケル浸出液（ニッケルを含む溶液）を、溶媒抽出法、イオン交換法、中和などの浄液工程を施すことにより溶液中の不純物元素を除去して得られる溶液に、アンモニアを添加し、硫酸ニッケルアンミン錯体溶液としたもの等が適している。
【００１７】
［混合工程］
この工程では、先ず硫酸ニッケルアンミン錯体溶液に分散剤を添加する。
この工程で用いる分散剤は、ポリアクリル酸塩又はリグニンスルホン酸塩であれば特に限定されないが、工業的に安価に入手できるものとしてポリアクリル酸塩では、ポリアクリル酸カルシウム、ポリアクリル酸ナトリウム、ポリアクリル酸カリウム、リグニンスルホン酸塩では、リグニンスルホン酸カルシウム、リグニンスルホン酸ナトリウム、リグニンスルホン酸カリウムが好適である。
【００１８】
また、溶液中の硫酸アンモニウム濃度は、図１に示す製造方法共に、１０〜５００ｇ／Ｌの範囲とすることが好ましい。５００ｇ／Ｌ以上では溶解度を超えてしまい結晶が析出する。また、反応により硫酸アンモニウムが新たに生成するため、１０ｇ／Ｌ未満を達成するのは困難である。
【００１９】
＜不溶性固体の添加＞
次に、図１に示す本発明に係る製造方法では、上記により分散剤濃度が調整された硫酸ニッケルアンミン錯体溶液に、少なくとも、その錯体溶液に不溶であり、析出の母体となる不溶性固体を添加する。
ここで添加する不溶性固体は、硫酸ニッケルアンミン錯体溶液、硫酸アンモニウム水溶液或いはアルカリ溶液への溶解度が小さいものであれば、特に限定はされず、例えば、ニッケル粉、鉄粉、アルミナ粉、ジルコニア粉、シリカ粉などを用いることができる。
【００２０】
本発明では、従来一般に使われてきた種結晶を用いて粉末を析出させ、種結晶ごと製品とする方法でなく、不溶性固体表面に必要な析出が終わった後に、不溶性固体と析出、成長した析出物とを切り離し、その切り離した析出物の粉末部分のみを製品としようとするものである。本発明のこのような方法によれば、種結晶自身がもつ不純物による製品への影響を回避するものである。
【００２１】
不溶性固体の添加量は、特に限定されず、固体の種類に応じて、硫酸ニッケルアンミン錯体溶液に添加した時に撹拌による混合が可能な量を選択する。一例として５０〜１００ｇ／Ｌ程度の量を添加すればよい。
形状や大きさも特に限定はしないが、後述するように互いに衝突させたり、振動を与えたりして表面のニッケル析出物を分離することがあるので、衝撃や摩擦に耐える強度を有し、ニッケル析出物が効果的に分離できるように表面がなだらかな形状であるものが適している。
【００２２】
また、不溶性固体と、その表面のニッケル析出物との効果的な分離を考えると、実操業では例えば直径０．０５〜３ｍｍ程度の球状もしくは楕円形等の角が無い形状であるものが使いやすい。なお、ニッケルを析出させるのに先立ってあらかじめ衝突や衝撃を与えて、不溶性固体表面の付着物等を取り除いてから本発明の不溶性固体として用いることが好ましい。
さらに、ニッケル析出物を分離した後の不溶性固体は、必要に応じて洗浄等の前処理を行った後で再び繰り返して使用することもできる。
【００２３】
＜分散剤の添加＞
本発明では、上記不溶性固体を種晶として用い、分散剤を添加することを特徴とするものであり、加えた不溶性固体を錯体溶液中で十分な分散状態を形成し、その不溶性固体表面に微細なニッケル析出物を生成可能な分散剤を用いるもので、錯体溶液に加えられた不溶性固体の重量の１．０〜２０．０重量％の範囲での適量の添加が望ましく、特にポリアクリル酸塩、リグニンスルホン酸塩が好ましい。
【００２４】
１．分散剤にポリアクリル酸塩を用いる場合
上記不溶性固体を種晶として用い、分散剤にポリアクリル酸塩を用いる場合（図１の製造フローで示す製造方法）、その添加量は混合スラリーに加えられた不溶性固体の重量の１．０重量％を越えて、１０．０重量％以下の量とし、望ましくは２．０重量％以上、６．０重量％以下とする。
【００２５】
その添加量が、１．０重量％以下ではニッケル粉が析出せず、２．０重量％以上になると不溶性固体が十分に分散され、添加量に比例して発生するニッケル粉の数を制御できて好ましい。
一方、その上限は６．０重量％を越えても増加傾向だが、あまりに多数の種結晶が生じることはハンドリングや分散剤同士が凝集してしまい、添加量に見合う効果を考えると好ましくないために１０．０重量％以下、より好ましくは６．０重量％以下とする。
【００２６】
２．分散剤にリグニンスルホン酸塩を用いる場合
また、分散剤にリグニンスルホン酸塩を用いる場合（図１の製造フローで示す製造方法）、その添加量は混合スラリーに加えられた不溶性固体の重量の２．０重量％以上、２０．０重量％以下の量とする。その添加量が２．０重量％以下では、ニッケル粉を得ることができず、２．０重量％を超えることが必要だが、特に５．０重量％を越えると添加量に比例して発生するニッケル粉の数を制御できて好ましい。
【００２７】
［還元・析出工程］
次に、混合スラリー中のニッケル錯イオンを水素により還元処理して不溶性固体表面上にニッケル析出物が生成した複合体を形成する「還元・析出工程」は、バッチ処理にて行う方法、及び連続処理にて行う方法を採ることが可能である。
先ず、バッチ処理において還元・析出処理を行う「還元・析出工程」は、分散剤及び不溶性固体を添加して形成した混合スラリーを、耐高圧高温容器の反応槽内に装入し、反応槽内に貯留された混合スラリーに水素ガスを吹き込んで、混合スラリー中のニッケル錯イオンを還元し、含まれる不溶性固体表面上にニッケルを析出物として生成した複合体を含む還元スラリーを形成する工程である。
【００２８】
このときの反応温度は、１５０〜２００℃の範囲が好ましい。その反応温度が、１５０℃未満では還元効率が低下し、２００℃以上にしても反応への影響はなく、むしろ熱エネルギー等のロスが増加するので適さない。
さらに、反応時の圧力は１．０〜４．０ＭＰａが好ましい。圧力が、１．０ＭＰａ未満では反応効率が低下し、４．０ＭＰａを超えても反応への影響はなく、水素ガスのロスが増加する。
【００２９】
次に、分散剤及び不溶性固体を添加して形成した混合スラリーを、耐高圧高温容器の反応槽内に連続して供給し、その反応槽内を流動する混合スラリーに水素ガスを連続して吹き込んで、混合スラリー中のニッケル錯イオンを還元し、含まれる不溶性固体表面上にニッケルの析出物が生成した複合体を含む還元スラリーを得る。そのニッケル析出物を生成する還元反応後、得られた還元スラリーは反応槽から連続して抜出されて回収され、次工程に供される。
即ち、還元反応の工程を連続処理化することにより、スラリーの入れ替えや、還元処理の条件設定に掛かる時間の削減が可能であり、生産効率の向上が期待できる。また、混合スラリーの流入量を制御することによって、生産量の調製が可能であり、反応槽を小容量化可能となり、設備投資や補修に係る費用が圧縮でき、経済的である。
【００３０】
このような還元・析出工程における反応温度は、１５０〜２００℃の範囲が好ましい。その反応温度が、１５０℃未満では還元効率が低下し、２００℃以上にしても反応への影響はなく、むしろ熱エネルギー等のロスが増加するので適さない。
さらに、反応時の反応槽気相部の圧力は、１．０〜４．０ＭＰａが好ましい。圧力が、１．０ＭＰａ未満では反応効率が低下し、４．０ＭＰａを超えても反応への影響はなく、水素ガスのロスが増加する。
【００３１】
本発明に係る還元・析出処理における分散剤の効果によって、不溶性固体が混合スラリーで、十分な分散状態を形成し、そのような状態においては、不溶性固体表面上により微細な粉状の析出物としてニッケルの析出物が形成でき、ニッケルを硫酸ニッケルアンミン錯体溶液から抽出、回収、さらに分散剤の添加量を調整することにより、析出して生成するニッケル粉の量も調整可能となる。
【００３２】
［分離工程］
この工程は、不溶性固体を使用した場合に行われる工程で、還元・析出工程で生成したニッケル析出物は不溶性固体表面上に付着した状態であり、その状態では利用できないので、表面に形成されたニッケル析出物を不溶性固体と分離、回収するものである。
具体的な分離方法として、例えば発熱で酸化しないように、不溶性固体ごと水中に入れ、回転して不溶性固体同士を衝突させて表面のニッケル析出物を分離し、篩い分けしてニッケル粉を得る方法、湿式篩上で回転させて、分離したニッケル析出物を同時に篩い分けてニッケル粉を得る方法、あるいは、液中に超音波を加えて振動を与え、分離し、篩い分けてニッケル粉を得るなどの方法がある。篩い分けに際しては、目開きが不溶性固体の大きさより細かいものであれば用いることができる。
【００３３】
以上のようにして製造したニッケル粉は、例えば積層セラミックコンデンサーの内部構成物質であるニッケルペースト用途として用いることができる他、回収したニッケル粉を種晶として上記水素還元を繰り返すことにより粒子を成長させ、高純度のニッケルメタルを製造することができる。
【実施例】
【００３４】
以下に本発明を、実施例、参考例を用いて説明する。
【００３５】
［参考例１］
［混合工程］
ニッケル分で７５ｇに相当する硫酸ニッケル六水和物３３６ｇと硫酸アンモニウム３３０ｇ、２５％アンモニア水を１９１ｍｌを加えて硫酸ニッケルアンミン錯体溶液を形成した後、図１の製造フローに沿って、先ず、その溶液に種晶とする析出母体となる不溶性固体として、平均粒径（Ｄ５０）が８５μｍのサイズのニッケル粉７５ｇを、分散剤として分子量４０００のポリアクリル酸ナトリウムを、種晶とする不溶性固体の重量の２重量％に相当する１．５ｇを添加した後に加え、液量が１０００ｍｌになるように純水を加えて調整し、混合スラリーを形成した。
【００３６】
［還元・析出工程］
次いで、上記で作製した混合スラリーをオートクレーブの内筒缶に装入し、撹拌しながら１８５℃に昇温後、その温度を保持した状態で、ボンベから水素ガスを吹き込み、オートクレーブの内筒缶内の圧力が３．５ＭＰａになるように水素ガスを供給した。
【００３７】
水素ガスを供給開始してから２分毎にオートクレーブのサンプル口からサンプルの還元されたスラリーを抜き出し、固液分離して濾液のニッケル濃度を分析した。
反応が進行するに伴ってニッケルが粉末として析出し、その分濾液のニッケル濃度は低下する。図２に示すように、その濃度変化から計算して３０分間で８０％以上のニッケルを還元し回収することができた。
【００３８】
水素ガスの供給から３０分が経過した後に、水素ガスの供給を停止し、内筒缶を冷却した。冷却後、内筒缶内のスラリーを濾過し、析出したニッケル粉４２．７ｇを回収した。
回収したニッケル粉を観察したところ、種結晶に使用できるほど微細なニッケル粉が生成していることを確認した。
【００３９】
［参考例２］
ポリアクリル酸ナトリウムを、種晶重量の６重量％に相当する４．５ｇ添加したこと以外は、上記参考例１と同じ条件と方法でニッケル粉を製造して回収した。
その結果を図２に示す。図２に示されるように、参考例１と同様に３０分間で８０％以上のニッケルを還元し回収することができた。
【００４０】
［参考例３］
ポリアクリル酸ナトリウムを種晶重量の１０重量％に相当する７．５ｇ添加したこと以外は、上記参考例１と同じ条件と方法でニッケル粉を製造し回収した。
その結果を図２に示す。図２に示されるように、参考例１と同様に３０分間で８０％以上のニッケルを還元して回収することができた。
【００４１】
［参考例４］
ポリアクリル酸ナトリウムを種晶重量の１重量％に相当する０．７５ｇ添加した以外は参考例１と同じ条件と方法でニッケル粉を製造して回収した。
その結果を図２に示す。図２に示されるように、濃度変化から計算して３０分間で５０％程度のニッケルを還元し回収できた。
【００４２】
（参考比較例１）
分散剤と不溶性固体を添加せず、それ以外の液組成や還元条件は参考例１と同様にしてニッケル粉を作製した。
サンプリングした溶液のニッケル濃度は７５ｇ／Ｌから４５ｇ／Ｌ程度まで低下した。しかし、水素ガス吹き込み終了後の溶液からはニッケル粉は回収できず、内筒缶内の側壁や攪拌機に板状のニッケルのスケーリングが生成している様子が確認できた。
【００４３】
（参考比較例２）
分散剤を添加せず、不溶性固体としてニッケル粉を７５ｇ添加した以外は、参考例１と同じ方法でニッケル粉を製造した。
その結果を図３に示す。図３に示されるように、濃度変化から計算して３０分間で２０％程度のニッケルしか還元できなかった。
【００４４】
［参考例５］
ニッケル７５ｇに相当する硫酸ニッケル六水和物３３６ｇ、硫酸アンモニウム３３０ｇを含む溶液に、２５％アンモニア水を１９１ｍｌを加えて硫酸ニッケルアンミン錯体溶液を作製した。さらに図１に示す製造フローに沿って、分子量４０００、濃度４０％のポリアクリル酸ナトリウム溶液、０．３８ｇ、１．８８ｇ、３．７５ｇ、７．５ｇ、１１．３ｇを、作製した硫酸ニッケルアンミン錯体溶液、それぞれに添加して合計の液量が１０００ｍｌになるように調整した５つの溶液を作製した。
【００４５】
作製した溶液のそれぞれに、析出母体となる不溶性固体として、平均粒径（Ｄ５０）が８５μｍのニッケル粉７５ｇを添加し、所望の混合スラリーを作製した。ここで添加したポリアクリル酸ナトリウムは、純分で不溶性固体量のそれぞれ０．２重量％、１．０重量％、２．０重量％、４．０重量％、６．０重量％に相当するものである。
【００４６】
次いで、作製した混合スラリーをオートクレーブの内筒缶に装入し、撹拌しながら１８５℃に昇温、保持した状態で、水素ガスを吹き込み、オートクレーブ内の圧力が３．５ＭＰａになるように水素ガスを供給した。水素ガスの供給から６０分が経過した後に、水素ガスの供給を停止し、内筒缶を冷却した。
【００４７】
[分離工程]
冷却後、内筒缶内のスラリーを濾過して不溶性固体とニッケル析出物の複合体を回収し、次いで目開きが７５μｍの湿式篩を使用して、振動を加えて母体の不溶性固体と、表面のニッケル析出物とを分離してニッケル粉を回収した。
【００４８】
その回収した篩下のニッケル粉を、粒度分布装置（マイクロトラック社製、商品名９３２０−Ｘ１００型）により粒径を測定し粒度分布を求めた。
回収したニッケル粉を真球と仮定し、測定した平均粒径：Ｄとニッケルの密度：ρ＝８．９ｇ／ｃｍ３を用いて、その回収したニッケル粉の個数を下記（１）式により算出した。
【００４９】
【数１】
0006641632.tif 000002
【００５０】
上記（１）式を用いて算出したニッケル粉の個数とポリアクリル酸ナトリウムの添加量との関係を図４に示す。
図４から、ポリアクリル酸ナトリウム添加量とニッケル粉個数には相関がみられ、ポリアクリル酸ナトリウムの添加量によりニッケル粉発生量を調整できることがわかる。特に、ポリアクリル酸ナトリウムの添加量が１．０重量％以下ではニッケル粉を得ることができないが、１．０重量％を超えると添加量に比例して発生するニッケル粉の数を制御できることがわかる。
【００５１】
［参考例６］
分散剤にリグニンスルホン酸ナトリウムを用い、１．５ｇ、３．０ｇ、４．５ｇ、７．５ｇ、１１．３ｇ、１５．０ｇを用いた以外は、参考例１と同様の方法を用いてニッケル粉を製造した。添加したリグニンスルホン酸ナトリウムは不活性固体量のそれぞれ２．０重量％、４．０重量％、６．０重量％、１０．０重量％、１５．０重量％、２０．０重量％に相当する。
得られたニッケル粉を、参考例５と同様に、上記（１）式を用いた算出方法によりニッケル粉の個数を算出した。
上記（１）式を用いて算出したニッケル粉の個数とリグニンスルホン酸ナトリウムの添加量との関係を図５に示す。
［実施例７］
【００５２】
ニッケルイオン８３ｇ／Ｌと硫酸アンモニウム１２０ｇ／Ｌ、２５％アンモニア水を１８２ｇ／Ｌを含む硫酸ニッケルアンミン錯体溶液と、不溶性固体として平均粒径（Ｄ５０）が９０μｍのサイズのニッケル粉に水と分散剤のポリアクリル酸ナトリウムを不溶性固体の重量の２重量％に相当する３ｇ／ｌを加え、ニッケル粉濃度が１６５ｇ／Ｌとなる種晶スラリーを作製した。
【００５３】
次いで、上記で作製した硫酸ニッケルアンミン錯体溶液と種晶スラリーをポンプでオートクレーブへ連続して供給し、オートクレーブを撹拌しながら１８５℃に保持した状態で、ボンベから水素ガスを吹き込み、オートクレーブの内筒缶内の圧力が３．５ＭＰａになるように水素ガスを供給して保持した。その際に、水素ガスを吹き込み後、オートクレーブ内に１時間滞留と、オートクレーブ内の液量が一定となるように、硫酸ニッケルアンミン錯体溶液と種晶スラリーの供給量と、排出量を調整し、連続的にオートクレーブから反応後のスラリーを抜出し、回収した。
【００５４】
得られたニッケル粉の重量から上記（１）式を用いた算出方法によりニッケル粉の個数を算出した。
その結果、表１に示すように粒子数が増加しており、また、図６に示す粒度分布より、微細なニッケル粉が生成していることがわかる。
【００５５】
【表１】
0006641632.tif 000003
【図１】
0006641632.tif 000004
【図２】
0006641632.tif 000005
【図３】
0006641632.tif 000006
【図４】
0006641632.tif 000007
【図５】
0006641632.tif 000008
【図６】
0006641632.tif 000009